(57)【要約】【課題】把手の外面にバリエーション（多様性）を与えること。【解決手段】把手本体と、この把手本体とは別体に成形された１枚の板片であり、かつ、把手本体の一端部から他端部に亘って装着される化粧板と、この化粧板の端部の内側に装着され、かつ、外部から固定手段を挿入すると、該化粧板を前記把手本体に固定する結合具とから成り、前記結合具は、前記化粧板の端部の両側壁に形成された被係合部に挟み込む状態で係合する複数個の係合部を有する開閉体用把手。【選択図】図１２
2008088769.tif 000002
【特許請求の範囲】
【請求項１】
把手本体と、この把手本体とは別体に成形された１枚の板片であり、かつ、把手本体の一端部から他端部に亘って装着される化粧板と、この化粧板の端部の内側に装着され、かつ、外部から固定手段を挿入すると、該化粧板を前記把手本体に固定する結合具とから成り、前記結合具は、前記化粧板の端部の両側壁に形成された被係合部に挟み込む状態で係合する複数個の係合部を有する開閉体用把手。
【請求項２】
請求項１に於いて、固定手段を外すと、化粧板は結合具と共に、把手本体から取り外し可能であることを特徴とする開閉体用把手。
【請求項３】
請求項１に於いて、化粧板の端部は、折り曲げ部分と、この折り曲げ部分を基準とする先端部分と、折り曲げ部分を基準とする手前部分とを含み、結合具４の係合部は、前記先端部分に係合する一組の第１係合爪片１３と、前記手前部分に係合する一組の第２係合爪片１４とから成ることを特徴とする開閉体用把手。
【請求項４】
請求項１に於いて、結合具４は、ニ分割されたブロック状の結合片４ａ、４ｂであり、これらの結合片は、化粧板の端部に対する装着時、合体用固定手段１１を介して一体的に合体することを特徴とする開閉体用把手。
【請求項５】
請求項１に於いて、結合片４ａ、４ｂは、それぞれ化粧板の端部に係合する一組の第１係合爪片と、一組の第２係合爪片とを有することを特徴とする開閉体用把手。
【発明の詳細な説明】
【技術分野】
【０００１】
本発明は開閉体用把手に関する。
【背景技術】
【０００２】
例えば特許文献１の図１及び図２には、プッシュプル錠用の把手が記載されている。また特許文献２の図１及び図２には、ハンドル錠の把手が記載されている。また、特許文献３や特許文献４にも、プッシュプル錠用の把手が記載されている。特許文献１乃至特許文献４の記載から明らかなように、従来のプッシュプル錠用の長杆状の把手は、把手の外面それ自体にバリエーション（多様性）を与えることを目的とするものではない。
【０００３】
また、普通一般に使用されている開閉体用把手、例えば特許文献５の図１には、軸部と、該軸部に連設する握り部とからなるＬ型形状の建具用のレバーハンドルが記載されているが、このような普通一般に使用されているＬ型形状把手の場合も、把手の外面それ自体にバリエーション（多様性）を与えることを目的とするものではない。
【特許文献１】特開２０００−１１０４２９号公報
【特許文献２】実公平７−５２２９６号公報
【特許文献３】特許公開平１０−２２００８３号公報
【特許文献４】特許公開２００２−７０３８６号公報
【特許文献５】特開平１１−８１７５２号公報
【発明の開示】
【発明が解決しようとする課題】
【０００４】
本発明の所期の目的は、把手の外面にバリエーション（多様性）を与えること。第２の目的は、視覚上、把手本体に対して化粧板を固定或いは結合した箇所が見えないこと。第３の目的は、化粧板を把手本体に固定する際、化粧板を把手本体に簡単に固定することができること。第４の目的は、化粧板の端部に結合具を装着したとき、結合具が端部から抜け落ちないこと。第５の目的は、化粧板を把手本体に取付け後、化粧板が「がたつかない」こと、その他固定手段（例えばネジ）を結合具から取り外すと、化粧板は結合具と共に、把手本体から簡単に取り外すことができることである。
【課題を解決するための手段】
【０００５】
本発明の開閉体用把手は、把手本体と、この把手本体とは別体に成形された１枚の板片であり、かつ、把手本体の一端部から他端部に亘って装着される化粧板と、この化粧板の端部の内側に装着され、かつ、外部から固定手段を挿入すると、該化粧板を前記把手本体に固定する結合具とから成り、前記結合具は、前記化粧板の端部の両側壁に形成された被係合部に挟み込む状態で係合する複数個の係合部を有するとから成る。
【０００６】
上記構成に於いて、固定手段を外すと、化粧板は結合具と共に、把手本体から取り外し可能である。また、化粧板の端部は、折り曲げ部分と、この折り曲げ部分を基準とする先端部分と、折り曲げ部分を基準とする手前部分とを含み、結合具の係合部は、前記先端部分に係合する一組の第１係合爪片と、前記手前部分に係合する一組の第２係合爪片とから成る。また、結合具は、ニ分割されたブロック状の結合片であり、これらの結合片は、化粧板の端部に対する装着時、結合用固定手段を介して一体的に結合する。また、前記ブロック状の結合片は、それぞれ化粧板の端部に係合する一組の第１係合爪片と、一組の第２係合爪片とを有する。さらに、把手本体の取付け部分には、少なくとも結合具を収納する切欠空間が形成されていることを特徴とする。
【発明の効果】
【０００７】
（ａ）化粧板は、把手本体とは別体に成形された１枚の板片であるから、把手本体に対して、色々な形状、色彩、模様を有する化粧板を把手本体に係合することができる。したがって、把手の外面にバリエーション（多様性）を与えることができる。
（ｂ）視覚上、把手本体に対して化粧板を固定或いは結合した箇所が見えないから、見栄えが良い。
（ｃ）化粧板は、把手本体に固定するための結合具を備えているから、化粧板を把手本体に固定する際、結合具を位置決め用に利用し、化粧板を把手本体に簡単に固定することができる。
（ｄ）結合具は、前記化粧板の端部の両側壁に形成された被係合部に挟み込む状態で係合する複数個の係合部を有することから、化粧板を把手本体に取付け後、化粧板が「がたつかない（化粧板を基準にして、その外方向や左右方向のガタツキ防止）」と共に、固定手段（例えばネジ）を結合具から取り外すと、化粧板は結合具と共に、把手本体から簡単に取り外すことができる。
【発明を実施するための最良の形態】
【０００８】
以下、図１乃至図１２に示す本発明を実施するための最良の形態により説明する。なお、本発明の縦、横等の使用態様如何に拘らず、ここでは図１を正面図とする。したがって、図２は左側面図（右側面図は左側面図と同一に表れる）、図３は底面視からの概略説明図（端部は概略断面）である。背面視からの概略説明図も底面視からの概略説明図と同じである。
【０００９】
（１）本発明の基本的構成
本発明の開閉体用把手は、図１乃至図３で示すように、把手本体１と、この把手本体１とは別体に成形された１枚の板片であり、かつ、把手本体１の一端部１ａから他端部１ｂに亘って装着される化粧板２と、この化粧板の端部２ａ、２ｂの内側に設けられ、かつ、外部から固定手段３、３を挿入すると、該化粧板２を前記把手本体１に固定する結合具４、４とから成る。そして、前記結合具４は、前記化粧板２の端部の両側壁に形成された被係合部２１、２１に挟み込む状態で係合する複数個の係合部（１３，１３、１４，１４）を有する。
【００１０】
結合具４の複数個の係合部は、少なくとも化粧板２の端部が結合具４から外方向にスッポリと抜けないように折り曲げ部分イを基準とする手前部分ハ（図７参照）を挟み込む状態で係合する左右の係合部１４，１４を有している。なお、複数個の係合部（１３，１３、１４，１４）の組み合わせは任意に設計変更することができる。
【００１１】
また、本実施例では、前記結合具４は、化粧板２の両端部（図３では左右）にそれぞれ設けられているが、少なくとも一方の端部に設けても良い。把手本体１の端部、化粧板２の端部及び結合具４は左右同一なので、ここでは、説明の便宜上、一方側（図３、図５、図９、図１２）を具体的に図示し、重複する説明を省略する。
【００１２】
（２）開閉体用把手本体１
ここで、「開閉体」には、遊技機、自動車、船舶などの動産、土地に定着する建物、移動可能な組み立て建物などの不動産に用いられる開閉フロント、扉、戸などが含まれる。本発明の実施例は、片手で握ることができる長尺物なので、例えばプッシュプル錠を備えた扉の把手に適合する。
【００１３】
さて、図１で示した把手本体１は、例えば長杆状に形成されている。この把手本体１は、図１の４−４線切断端面を拡大で示した図４から明らかなように、その正面側の外面に断面凹所状の化粧板用嵌合溝５を有している。この嵌合溝５は、把手本体１の端部１ａ（１ｂも同じ）に形成した結合具収納用の切欠空間６を臨む正面視の一端５ａから他端５ｂに至るまで同一の幅で帯状に形成されている。
【００１４】
付言すると、把手本体１の両端部１ａ、１ｂに形成された左右一対の切欠空間６、６を除く、把手本体１の正面側の外面には、把手本体１の曲率に適合する化粧板用嵌合溝５が一連に形成されている。したがって、本実施例では、図４で示すように、嵌合溝５を形成する長手方向の対向側壁７、７は化粧板２の厚みに対応する突壁状となっている。
【００１５】
ところで、図７、図１２で示すように、結合具収納用の切欠空間６が形成された端部１ａには、把手本体１の内壁面８の端部に断面Ｌ字形状或いは一部囲い形状に連設する取付け部分９が設けられていると共に、この取付け部分９の適宜箇所（図示しない扉の壁面に対向する箇所）には、固定手段３用の断面段差状貫通孔１０が形成されている。
【００１６】
（３）化粧板２
例えば図７で示すように、帯状の化粧板２は、その端部２ａ（２ｂ）が把手本体１の端部１ａ（１ｂ）の切欠空間６をカバーするように折り曲げ形成されている。また、化粧板２の幅は、望ましくは把手本体１の帯状嵌合溝５にぴったりと合うように設定されている。
【００１７】
さらに、化粧板２の長さは、弧状に折り曲げ形成された両端部２ａ（２ｂ）も含め、略把手本体１の長さに対応するように設定されている。したがって、化粧板２を把手本体１の嵌合溝５に嵌め込んだ場合には、図２で示すように、化粧板２の外面と把手本体１の対向側壁７、７の突壁面とが略面一状となる。そして、化粧板２の両端部２ａ（２ｂ）は、把手本体１の切欠空間６をカバーするように収まる。
【００１８】
ここで、図７又は図１２を参照にして化粧板２の端部２ａ（以下、２ｂも同じ）について付言すると、化粧板２の端部２ａは、折り曲げ部分イと、この折り曲げ部分イを基準とする先端部分ロと、折り曲げ部分を基準とする手前部分ハとを含む。
【００１９】
（４）結合具４
結合具４は、図８で示すように、ニ分割された結合片４ａ、４ｂであり、これらの結合片４ａ、４ｂは、化粧板２の端部２ａに対する装着時、合体用固定手段（例えばネジ）１１を介して一体的に結合する。
【００２０】
ここでは、図８を基準にして、左側を第１結合片４ａ、右側を第２結合片４ｂとする。これら左右の結合片４ａ、４ｂは、それぞれブロックの係合部分１２、１２を有し、これらの係合部分１２の一つの垂直面１２ａ、１２ａの縁部からは互いに対向可能な第１係合爪片１３、１３が、直接又は間接的（本実施例）にそれぞれ突出している。一方、これらの係合部分１２の一つの水平面（図面上では上面）１２ｂ、１２ｂの縁部からは互いに対向可能な第２係合爪片１４、１４がそれぞれ突出している。
【００２１】
しかして、前記第１係合爪片１３、１３及び第２係合爪片１４、１４は、先端部に内側に指向する不番の爪を有し、第１係合爪片１３、１３の爪は、前述した化粧板２の端部２ａの先端部分ロの被係合部に係合可能であり、一方、第２係合爪片１４、１４の爪は、同じく前記端部２ａの手前部分ハに係合可能である。なお、第１結合片４ａと第２結合片４ｂとを合体用固定手段１１を介して一体的に合体した場合には、第１係合爪片１３、１３と第２係合爪片１４、１４は、それぞれ左右一対で「一組」となる。
【００２２】
ところで、第１係合爪片１３及び第２係合爪片１４の係合部分１２は、硬質の合成樹脂材でブロック状（例えば組合わせ玩具のブロック片）に形成され、組み合わせ面に単数又は複数個の不番の凹凸を有している。そして、本実施例では、第１結合片４ａ及び第２係合片４ｂは、互いに重なり合う下部に垂直方向に連通する固定手段３用固定孔１５を有し、一方、互いに重なり合う上部ないし上部寄りの部位には、水平方向に連通する合体用連結孔１６を有している。
【００２３】
上記構成に於いて、ニ分割されたブロック状の第１・第２結合片４ａ、４ｂは、図９で示すように、化粧板２の端部２ａに対する装着時、予め合体用固定手段１１を介して一体的に結合する。この時、結合具４の互いに異なる方向に突出し、かつ、左右一対で組を成す上下の係合部１３、１４の各爪は、化粧板２の端部２ａ（２ｂも同じ）の両側壁にそれぞれ形成された被係合部（例えば係合溝）２１、２１に挟み込む状態で係合する。
【実施例】
【００２４】
発明の実施の形態で示した実施例に関して簡単に言及する。本実施例の結合具４は、例えばプッシュプル錠用の把手なので、結合具４が障害物にならないこと、外観上の美観の向上を図ること等の理由から、望ましくは化粧板の折り曲げ形成された端部２ａ、２ｂの内側に設ける。
【００２５】
また、化粧板２を把手本体１に固定する際、化粧板２を把手本体１に容易に固定することができるように、予め前記端部２ａ（２ｂ）に一体的に装着する。さらに、色彩や模様が相違する多様なデザインの化粧板２と交換することができるように、外部から固定手段３を結合具４に挿入（例えば螺合）すると、化粧板２は把手本体１に固定され、一方、固定手段（例えばネジ）３を結合具４から取り外すと、化粧板２は結合具４と共に、把手本体１から簡単に取り外すことができる。
【００２６】
その他、意匠上の美観に拘泥しないのであれば、把手本体１に対する化粧板２と把手本体1の化粧板用嵌合溝５との嵌合関係（例えば化粧板２が嵌合溝５にカバー状に嵌合する構成）や化粧板２の端部の固定箇所及び固定構造は、本発明の所期の目的を達する限りに於いて、任意に設計変更することができる。
【産業上の利用可能性】
【００２７】
本発明は、主に錠前、建具等業界で利用される。
【図面の簡単な説明】
【００２８】
図１乃至図１２は本発明の最良の実施例を示す各説明図。
【図１】正面視からの説明図。
【図２】左側面視（又は右側面視）からの説明図。
【図３】図１を基準とする底面視からの概略説明図（右側半分は省略）。
【図４】図１の４−４線を一部切断した拡大端面の概略説明図。
【図５】図１の５−５線を一部切断した拡大端面の概略説明図。
【図６】図２の６−６線を一部切断した拡大端面の概略説明図。
【図７】要部（把手本体１の端部と化粧板２の端部と固定手段）の説明図。
【図８】要部（結合具４と、固定手段３と、合体用固定手段１１）の説明図。
【図９】固定前に化粧板２の端部２ａに結合具４を装着時の説明図。
【図１０】要部（装着時、結合具を裏側から見た状態）の説明図。
【図１１】結合具の概略断面説明図。
【図１２】把手本体と化粧板とを結合した状態の一部概略断面説明図。
【符号の説明】
【００２９】
1…把手本体、１ａ…一端部、１ｂ…他端部、２…化粧板、２ａ、２ｂ…化粧板の端部（鉤状端部）、イ…折り曲げ部分、ロ…先端部分、ハ…手前部分、３…固定手段、４…結合具、４ａ…第１結合片、４ｂ…第２結合片（螺合筒）、５…化粧板用嵌合溝、５ａ…嵌合溝の一端、５ｂ…嵌合溝の他端、６…切欠空間、７…対向側壁、８…把手本体１の内壁面、９…把手本体の取付け部分、１０…貫通孔、１１…合体用固定手段、１２…係合部分、１２ａ…一つの垂直面、１２ｂ…一つの水平面、１３…第１係合爪片、１４…第２係合爪片、１５…固定手段用固定孔、１６…合体用連結孔、２１…被係合部（例えば係合溝）。
【図１】
2008088769.tif 000003
【図２】
2008088769.tif 000004
【図３】
2008088769.tif 000005
【図４】
2008088769.tif 000006
【図５】
2008088769.tif 000007
【図６】
2008088769.tif 000008
【図７】
2008088769.tif 000009
【図８】
2008088769.tif 000010
【図９】
2008088769.tif 000011
【図１０】
2008088769.tif 000012
【図１１】
2008088769.tif 000013
【図１２】
2008088769.tif 000014